(57)【特許請求の範囲】
【請求項１】
中空管状の心部材と、該心部材の先端を塞ぐ先端キャップ材と、軟質且つ弾性を有する緩衝材と、薄生地シート状の被覆材とを具備し、前記心部材に前記緩衝材が巻付けられて包囲されると共に、該緩衝材に前記被覆材が巻き付けられて包囲被覆された刀身部と、前記心部材の長手方向の端部が前記被覆材のみにて包囲被覆されたグリップとを有し、前記刀身部の先端側に位置する先端キャップ材は、半球形状のキャップ頭部と前記心部材の開口部に圧入して固着される挿入部とを有し、該キャップ頭部が前記心部材と該心部材を包囲被覆する前記被覆材の先端から突出すると共に、前記先端キャップ材は軟質且つ弾性を有する材質とし、前記緩衝材及び前記被覆材が前記心部材に巻付けられて構成された外径は、先端キャップ材の外径よりも大きく形成され、前記刀身部の後端側に装着する後端キャップ材は、円板形状のキャップ頭部と前記心部材の開口部に圧入して固着される挿入部とを有してなることを特徴とする競技用剣。
【請求項２】
請求項１において、前記先端キャップ材のキャップ頭部と前記心部材との接合部分から前記心部材先端箇所を被覆する前記被覆材と重なるように別の被覆材にて被覆されてなることを特徴とする競技用剣。
【請求項３】
請求項１又は２において、前記緩衝材は、前記マット状で且つ縮み代を有してなることを特徴とする競技用剣。
【請求項４】
請求項１，２又は３の何れか１項の記載において、刀身部の後端側に装着する後端キャップ材のキャップ頭部は円板形状としてなることを特徴とする競技用剣。
【発明の詳細な説明】
【技術分野】
【０００１】
本発明は、スポーツ競技又は娯楽としての剣術の試合、練習に使用されるものであって、安全性が十分に確保されなお適度な衝撃を競技相手に与えたり、或は相手側から適度な衝撃を受けることができる競技用剣に関するものである。
【背景技術】
【０００２】
従来、スポーツ競技又は娯楽としての剣術が行われている。このような剣術の試合及び練習に使用される剣は、安全性が重要であり、競技者の身体を保護しながら、剣術を体験するものである。そして、安全性を備えた競技用剣は、種々のものが開発され、特に特許文献１に開示されたものでは、その安全性に優れた構成を有するものである。
【先行技術文献】
【特許文献】
【０００３】
【特許文献１】特許２７２４９１８号
【発明の概要】
【発明が解決しようとする課題】
【０００４】
前述したスポーツ又は娯楽としての剣術では、近年において競技人口も増加し、協議技術の向上も極めて著しいものとなっている。また、それにつれて、特許文献１に開示されているように競技用剣も安全性において極めて向上しているし、その競技用剣と共に防具も向上している。特に、特許文献１にて開示されたものでは、図５（Ａ）に示すように、剣ａの先端ａ’が、空気の充填された袋体状となっており、競技者ｂに対する安全性は十分に確保されてはいるものの、図５（Ｂ）に示すように、相手側への打ち込みや、相手側から受ける打ち込みによって、その剣ａの先端ａ’部分が柔軟に変形してしまい、打撃による感覚を与え難いし受け難いものである。
【０００５】
このようなことから、競技者同士の試合において、剣ａで相手競技者に打ち込んでも、その衝撃が相手に全く伝わらないし、また同様に相手側からの打ち込みに対して身体に打撃をうけても全く感触がないと言う事態が生じる。そのため、特に試合において、相手側に対する攻撃での打ち込みや打撃での手応えや、相手側からの攻撃での打ち込みや打撃による感触が競技者相互に感じられず、試合の緊張感に不満が生じると共に、試合の勝敗についても競技者ｂにとって納得し難い状態となっている。
【０００６】
このようなことから、競技者に対する安全性が十分に確保された上で、なお且つ試合にて、相手側に対する攻撃や、相手側から受ける攻撃における競技用剣の打ち込み時の衝撃が体感されることが要望されている。そこで、本発明の目的（技術的課題）は、安全性が十分に確保されなお適度な衝撃を競技相手に与えたり、或は相手側から適度な衝撃を受けて、競技の勝敗を十分に体感することができる競技用剣を提供することにある。
【課題を解決するための手段】
【０００７】
そこで、発明者は、上記課題を解決すべく、鋭意，研究を重ねた結果、請求項１の発明を、中空管状の心部材と、該心部材の先端を塞ぐ先端キャップ材と、軟質且つ弾性を有する緩衝材と、薄生地シート状の被覆材とを具備し、前記心部材に前記緩衝材が巻付けられて包囲されると共に、該緩衝材に前記被覆材が巻き付けられて包囲被覆された刀身部と、前記心部材の長手方向の端部が前記被覆材のみにて包囲被覆されたグリップとを有し、前記刀身部の先端側に位置する先端キャップ材は、半球形状のキャップ頭部と前記心部材の開口部に圧入して固着される挿入部とを有し、該キャップ頭部が前記心部材と該心部材を包囲被覆する前記被覆材の先端から突出すると共に、前記先端キャップ材は軟質且つ弾性を有する材質とし、前記緩衝材及び前記被覆材が前記心部材に巻付けられて構成された外径は、先端キャップ材の外径よりも大きく形成され、前記刀身部の後端側に装着する後端キャップ材は、円板形状のキャップ頭部と前記心部材の開口部に圧入して固着される挿入部とを有してなる競技用剣としたことにより、上記課題を解決した。
【０００８】
請求項２の発明を、請求項１において、前記先端キャップ材のキャップ頭部と前記心部材との接合部分から前記心部材先端箇所を被覆する前記被覆材と重なるように別の被覆材にて被覆されてなる競技用剣としたことにより、上記課題を解決した。請求項３の発明を、請求項１又は２において、前記緩衝材は、前記マット状で且つ縮み代を有してなる競技用剣としたことにより、上記課題を解決した。請求項４の発明を、請求項１，２又は３の何れか１項の記載において、刀身部の後端側に装着する後端キャップ材のキャップ頭部は円板形状としてなる競技用剣としたことにより、上記課題を解決した。
【発明の効果】
【０００９】
請求項１の発明では、中空管状の心部材が柔軟且つ弾性を有する緩衝材によって包囲されると共に該緩衝材が被覆材にて包囲被覆され、これによって刀身部が構成されたものである。よって、刀身部は、その全長に亘って、心部材が存在しており、該心部材に衝撃材が包囲される状態となっている。つまり、緩衝部材は長手方向に沿って刀身部の先端箇所まで包囲したものであり、刀身部においては、心部材が存在しない緩衝部材のみで内部が空隙となる部位は存在しない。
【００１０】
そのために、刀身部には先端まで心部材が行き届いており、試合又は練習において、相手側に打ち込んだとき、又は相手側から打ち込まれたときの衝撃は適度且つ十分な痛みを伴わない刺激となって体感できるものである。さらに、前記心部材は、長手方向の一端側をグリップ領域とし、該グリップ領域は、被覆材のみにて包囲被覆されてグリップが形成されているので、通常の刀剣類と同様の構成となり、実際の剣術試合と同等の雰囲気を味わいながら且つ安全に競技を行うことができる。また、刀身部先端側に位置するキャップ材は半球形状としたことにより、特に試合，練習時において、相手側に対する突き技で、又は相手側から受ける突き技に対して、安全性を確保することができる。さらに、キャップ材は軟質且つ弾性を有する材質としたので、安全性をより一層確保できる。
【００１１】
請求項２の発明では、前記キャップ材は前記被覆材にて被覆されたことにより、キャップ材が心部材から外れ難いものにできる。請求項３の発明では、前記緩衝材は、前記マット状で且つ縮み代を有したことにより、安全性をより一層確保できる。請求項４の発明では、刀身部の後端側に装着する後端キャップ材のキャップ頭部は円板形状としたことにより、競技用剣のいずれが先端で、いずれが後端となるのかを目視にて簡単に見分けることができる。
【図面の簡単な説明】
【００１２】
【図１】（Ａ）は、本発明における競技用剣の縦断側面図、（Ｂ）は競技用剣を構成する被覆材を除いた縦断側面図、（Ｃ）は心部材とキャップ材の縦断側面図、（Ｄ）は競技用剣の斜視図である。
【図２】（Ａ）は刀身部の要部拡大縦断側面図、（Ｂ）は（Ａ）のＹ−Ｙ矢視断面図、（Ｃ）は（Ｂ）において心部材，緩衝材及び被覆材を分離した断面図である。
【図３】（Ａ）は本発明における競技用剣の第２実施形態の側面図、（Ｂ）は第２実施形態の短尺としたタイプの側面図、（Ｃ）は第２実施形態の縦断側面図、（Ｄ）は（Ｃ）の（ア）部拡大図である。
【図４】（Ａ）本発明における競技用剣を使用した状態の略示図、（Ｂ）は（Ａ）の（イ）部拡大図である。
【図５】（Ａ）は従来技術を示す略示図、（Ｂ）は従来技術を使用した略示図。
【発明を実施するための形態】
【００１３】
以下、本発明の実施形態を図面に基づいて説明する。競技用剣は、図１（Ａ），（Ｄ）に示すように、刀身部Ａとグリップ部Ｂとから構成される。刀身部Ａは、心部材１，緩衝材２，被覆材３等から構成され、グリップ部Ｂは心部材１及び被覆材３とから構成される。前記心部材１の先端には、キャップ材４が装着される。心部材１は、図１（Ａ）に示すように、競技用剣の刀身部Ａの心となる部材であり、中空管状に形成され、合成樹脂製である。本発明は、スポーツ，娯楽としての剣術の試合及び練習に使用するものであり、極めて安全な模擬武具である。
【００１４】
心部材１は、可撓性が良好であり、且つ復元性に優れたものが好適である。具体的には塩化ビニル，グラスファイバ等の管状体（パイプ）が使用される。緩衝材２は、軟質且つ弾性を有する材質のものが使用されている。具体的には、マット状の板材として形成されたものであり、縮み代を有する厚さのスポンジ状，発泡樹脂等の合成樹脂材である。被覆材３は、合成樹脂製の薄いシート材であり、柔軟性且つ伸縮性のある素材が好適である。
【００１５】
心部材１には、刀身部構成領域１ａと、グリップ部構成領域１ｂが決められ〔図１（Ｃ）参照〕、刀身部構成領域１ａでは、後述するように刀身部Ａが形成され、グリップ部構成領域１ｂではグリップ部Ｂが形成される。前記心部材１の刀身部構成領域１ａは、前記緩衝材２が巻き付けられて、心部材１の外周が緩衝材２によって包囲される。心部材１の外周と、緩衝材２と、前記被覆材３とからなり、心部材１に緩衝材２が巻き付けられる。緩衝材２は、心部材１に対してグリップ部を構成する範囲を除く部分を包囲する。緩衝材２と心部材１とは密着され、且つ接着剤によって接着される〔図１（Ｂ）参照〕。
【００１６】
心部材１に巻きつけられて、該心部材１の外周を包囲した緩衝材２の周囲には、被覆材３が巻き付けられ〔図２（Ｃ）参照〕、緩衝材２の外周が被覆材３にて包囲される〔図１（Ａ），図２（Ａ），（Ｂ）参照〕。緩衝材２は、接着剤を介して緩衝材２の周囲に巻き付けられるものである。これによって、刀身部Ａは、その中心に心部材１が配置され、該心部材１の外周に緩衝材２が配置され、該緩衝材２の外周に被覆材３が配置される構成となる〔図２（Ａ），（Ｂ）参照〕。
【００１７】
前記被覆材３は、前記心部材１のグリップ部構成領域１ｂにも巻き付けられることもある〔図１（Ａ）参照〕。すなわち、グリップ部構成領域１ｂでは心部材１のみの構成としてもよいが、被覆材３が巻き付けられることで、手にする感触を良好なものにできる。心部材１には、キャップ材４が装着される。キャップ材４は、先端キャップ材４１と、後端キャップ材４２とが存在する〔図１（Ｃ）参照〕。先端キャップ材４１及び後端キャップ材４２は、共に中空管状の心部材１の軸端開口に嵌め込まれる構造のものであり、先端キャップ材４１にはキャップ頭部４１ａに挿入部４１ｂが形成されたものである。また、後端キャップ材４２にもキャップ頭部４２ａ及び挿入部４２ｂが形成されたものである。
【００１８】
先端キャップ材４１及び後端キャップ材４２は、それぞれの挿入部４１ｂ，４２ｂを心部材１の開口部に圧入して固着する〔図１（Ｂ）参照〕。先端キャップ材４１のキャップ頭部４１ａは、略半球形状に形成されることが好適である。特に、先端キャップ材４１のキャップ頭部４１ａを半球形状とすることで、競技において、突き技を使用した場合に、相手側への攻撃及び相手側から受ける攻撃で競技者６の安全を図ることができる〔図４（Ａ）参照〕。また、後端キャップ材４２のキャップ頭部４２ａは、円板形状であり、その直径は心部材１の直径と等しくすることが好ましい。
【００１９】
前記キャップ頭部４２ａを円板状とすることで、グリップ部Ｂの長手方向端部の形状を整然としたものにできる。また、競技用剣の先端キャップ材４１のキャップ頭部４１ａを略半球状とし、後端キャップ材４２のキャップ頭部４２ａを円板形状とすることで、競技用剣のずれが先端で、いずれが後端となるのかを目視にて簡単に見分けることができる。これは、特に競技用剣にグリップ部Ｂが存在せず、全体が刀身部Ａとした場合等に役に立つ。
【００２０】
前記先端キャップ材４１のキャップ頭部４１ａ及び前記後端キャップ材４２のキャップ頭部４２ａとは、共に被覆材３にて被覆されることもある。グリップ部Ｂにおいて、心部材１の外周に巻き付けられた被覆材３の外周にテープ材５が巻き付けられることもある。該テープ材５は、グリップ部Ｂの滑り防止の役目をなすものであり、使用されるテープ材５としては、ビニルテープ又は布テープのいずれでも構わない。
【００２１】
次に、本発明の競技用剣の第２実施形態について説明する。第２実施形態は、図３に示すように、グリップ部Ｂが存在しない、刀身部Ａのみから形成されたものである。また、第２実施形態における競技用剣の長手方向の長さは、約５０cm乃至約１５０cm程度である。この第２実施形態の構成は、前述したように刀身部Ａのみから構成されるものであり、長手方向の両端は同一形状で、共にキャップ材４が装着され、キャップ材４にも被覆材３にて被覆される〔図３（Ｃ），（Ｄ）参照〕。特に、競技用剣を槍，棒,薙刀等の模擬武具とした場合には、先端及び後端の区別がないので、長手方向の両端とも先端キャップ材４１が装着されればよい〔図３（Ｃ）参照〕。
【００２２】
さらに、この第２実施形態の競技用剣では、剣術の模擬刀剣，模擬木刀，模擬竹刀として使用されるだけではなく槍，棒，薙刀等の擬似的武具として使用され、槍術，棒術，薙刀術等の模擬競技を行うこともできる。競技用剣の長手方向の長さは、剣術であれば、刀剣や竹刀と略同等長さに形成される〔図３（Ａ）参照〕。また、槍術，棒術又は薙刀術として使用する場合には、実際の槍，棒，長刀等の長さと同等長さ形成される。また、第２実施形態では、競技用剣を短刀等の武具として使用することも可能であり、この場合には実際の短刀の長さと同等の長さに形成される〔図３（Ｂ）参照〕。
【００２３】
本発明の競技用剣を使用して、スポーツ，娯楽としての剣術の試合及び練習を行う場合に、相手側に攻撃をしかけて、切り込んだり又は打ち込んだりするときや、或は相手側から攻撃を受けたときに、刀身部Ａによる打撃箇所は、図４に示すように、緩衝材２により衝撃を吸収しつつ凹むが、同時に刀身部Ａには全体に亘って中空管状の心部材１が備わっているので、競技者６には打撃を受けた場合に適度な刺激を有する感触が与えられる〔図４（Ａ），（Ｂ）参照〕。つまり、痛みを伴わず打撃を与えた感触及び受けた感触が競技者６にそれぞれに伝わり、竹刀，木刀等を使用する場合と略同様の雰囲気を味わうことができる。
【符号の説明】
【００２４】
Ａ…刀身部、Ｂ…グリップ部、１…心部材、２…緩衝材、３…被覆材、
４…キャップ材。
【図１】
0005685787.tif 000002
【図２】
0005685787.tif 000003
【図３】
0005685787.tif 000004
【図４】
0005685787.tif 000005
【図５】
0005685787.tif 000006